(57)【特許請求の範囲】
【請求項１】
底面に清掃用部材を取り付け可能なヘッド部と、前記ヘッド部の天面に連結された柄と、を備える掃除具であって、
前記柄は、中空の管状部材で形成され、中空部分に液状体を注入可能な注入口と、中空部分と連通され、底面に設けられた開口部と、を備え、
前記ヘッド部は、前記柄との連結部分において、前記柄の前記開口部の開閉状態を制御するための制御弁と、前記制御弁の開閉操作を行うための操作部と、前記開口部から流出した液状体を前記底面に装着された前記清掃用部材に誘導する誘導部と、を備え、
前記操作部は、
前記制御弁に連結されるとともに、前記ヘッド部の天面から上方に突出した状態で設けられ、下方に押圧操作可能な押圧部材と、
一端が前記制御弁の下面に取り付けられ、他端が前記ヘッド部の底面に取り付けられ、前記制御弁を上方向に付勢する弾性部材と、を備え、
前記押圧部材が下方に押圧されると、前記押圧部材に連動して前記制御弁が下方へと押し込まれ、前記柄の前記開口部が閉状態から開状態となることを特徴とする掃除具。
【請求項２】
前記誘導部は、
一端が前記弾性部材の他端と連結された板状部材と、
前記板状部材の下面に当接するように前記ヘッド部の底面上に設けられ、前記液状体を吸収するとともに圧力により吸収した液状体を放出する液吸収部材と、を備え、
前記押圧部材が下方に押圧されると、前記押圧部材の押圧操作に連動して前記板状部材が下方へと押し込まれ、前記板状部材に当接された前記液吸収部材が下方に押圧されることを特徴とする請求項１に記載の掃除具。
【請求項３】
底面に清掃用部材を取り付け可能なヘッド部と、前記ヘッド部の天面に連結された柄と、を備える掃除具であって、
前記柄は、中空の管状部材で形成され、中空部分に液状体を注入可能な注入口と、中空部分と連通され、底面に設けられた開口部と、を備え、
前記ヘッド部は、前記柄との連結部分において、前記柄の前記開口部の開閉状態を制御するための制御弁と、前記制御弁の開閉操作を行うための操作部と、前記開口部から流出した液状体を前記底面に装着された前記清掃用部材に誘導する誘導部と、を備え、
前記操作部は、
一端が前記制御弁の回動軸と連結され、他端が前記ヘッド部の天面上を突出したレバーと、当該レバーの回動軸に取り付けられ、前記開口部が閉状態となるように前記制御弁を付勢する弾性部材と、を備え、
前記レバーの操作に連動して、前記レバーと連結された回動軸を中心に、前記制御弁の他端が下方へと回動し、前記柄の前記開口部が閉状態から開状態となることを特徴とする掃除具。
【発明の詳細な説明】
【技術分野】
【０００１】
本発明は、掃除具に関する。
【背景技術】
【０００２】
従来、清掃用部材を取り付け可能なヘッド部に、使用者が握るための柄を連結させ、床面の汚れや埃などを払拭して除去することができるようにした掃除具が知られている。このような掃除具において、床面の清掃やワックスがけを行う場合、ヘッド部に取り付けた清掃用部材に水や洗剤、ワックスといった液状体を塗布する必要がある。
【０００３】
一般に、清掃用部材に液状体を塗布するには、液状体を入れた容器を用意してその容器内に清掃用部材が取り付けられたヘッド部を浸す作業が行われる。この場合、液状体を塗布した当初は液状体が多量に塗布された状態となる一方、清掃作業を進めるにつれて塗布された液状体の量が少なくなるため、清掃作業の各段階で液状体の塗布量にムラが生じていた。
【０００４】
上記課題に対応したものとして、例えば、液状体を一時的に貯留可能に形成された保持部材によりヘッド部を包み込んで装着する掃除具が開示されている（例えば、特許文献１参照）。上記掃除具によれば、液状体を保持部材に塗布した際に液状体が保持部材に一時的に貯留され、保持部材を介して清掃用部材に液状体が徐々に浸透されることとなるため、清掃作業の各段階において、液状体の塗布量を均一化することが可能となる。
【先行技術文献】
【特許文献】
【０００５】
【特許文献１】特開２００１−３０９８８１号公報
【発明の概要】
【発明が解決しようとする課題】
【０００６】
しかしながら、上記掃除具の場合、保持部材を介して清掃用部材に液状体が徐々に浸透されるので、清掃用部材に液状体を塗布する塗布量を制御することができないとともに、保持部材に液状体を塗布する場合には、従来のように液状体を入れた容器を用意して保持部材が装着されたヘッド部を浸す作業が必要となるため、非常に手間が掛かっていた。
【０００７】
本発明は、清掃用部材に塗布する液状体の塗布量を制御できるとともに、簡易な作業で清掃用部材に液状体を塗布することが可能な掃除具を提供することを目的とする。
【課題を解決するための手段】
【０００８】
請求項１に記載の発明は、上記目的を達成するためになされたものであり、底面に清掃用部材を取り付け可能なヘッド部と、前記ヘッド部の天面に連結された柄と、を備える掃除具であって、
前記柄は、中空の管状部材で形成され、中空部分に液状体を注入可能な注入口と、中空部分と連通され、底面に設けられた開口部と、を備え、
前記ヘッド部は、前記柄との連結部分において、前記柄の前記開口部の開閉状態を制御するための制御弁と、前記制御弁の開閉操作を行うための操作部と、前記開口部から流出した液状体を前記底面に装着された前記清掃用部材に誘導する誘導部と、を備え、
前記操作部は、
前記制御弁に連結されるとともに、前記ヘッド部の天面から上方に突出した状態で設けられ、下方に押圧操作可能な押圧部材と、
一端が前記制御弁の下面に取り付けられ、他端が前記ヘッド部の底面に取り付けられ、前記制御弁を上方向に付勢する弾性部材と、を備え、
前記押圧部材が下方に押圧されると、前記押圧部材に連動して前記制御弁が下方へと押し込まれ、前記柄の前記開口部が閉状態から開状態となることを特徴とする。
【００１０】
請求項２に記載の発明は、請求項１に記載の掃除具において、前記誘導部は、
一端が前記弾性部材の他端と連結された板状部材と、
前記板状部材の下面に当接するように前記ヘッド部の底面上に設けられ、前記液状体を吸収するとともに圧力により吸収した液状体を放出する液吸収部材と、を備え、
前記押圧部材が下方に押圧されると、前記押圧部材の押圧操作に連動して前記板状部材が下方へと押し込まれ、前記板状部材に当接された前記液吸収部材が下方に押圧されることを特徴とする。
【００１１】
請求項３に記載の発明は、底面に清掃用部材を取り付け可能なヘッド部と、前記ヘッド部の天面に連結された柄と、を備える掃除具であって、
前記柄は、中空の管状部材で形成され、中空部分に液状体を注入可能な注入口と、中空部分と連通され、底面に設けられた開口部と、を備え、
前記ヘッド部は、前記柄との連結部分において、前記柄の前記開口部の開閉状態を制御するための制御弁と、前記制御弁の開閉操作を行うための操作部と、前記開口部から流出した液状体を前記底面に装着された前記清掃用部材に誘導する誘導部と、を備え、
前記操作部は、
一端が前記制御弁の回動軸と連結され、他端が前記ヘッド部の天面上を突出したレバーと、当該レバーの回動軸に取り付けられ、前記開口部が閉状態となるように前記制御弁を付勢する弾性部材と、を備え、
前記レバーの操作に連動して、前記レバーと連結された回動軸を中心に、前記制御弁の他端が下方へと回動し、前記柄の前記開口部が閉状態から開状態となることを特徴とする。
【発明の効果】
【００１２】
本発明によれば、制御弁を操作することで、柄の開口部が閉状態から開状態となるため、柄の中空部分に注入された液状体をヘッド部内に流出させ、ヘッド部の誘導部を介して清掃用部材に液状体を塗布することができる。従って、制御弁の開閉状態を制御することで、清掃用部材に塗布する液状体の塗布量を制御できるとともに、操作部の操作という簡易な作業で清掃用部材に液状体を塗布することができる。
【図面の簡単な説明】
【００１３】
【図１】第１実施形態に係る掃除具１の外観斜視図である。
【図２】掃除具１の底面部１４について示した図である。
【図３】柄２０の内部構造について示した側面断面図である。
【図４】掃除具１の内部構造について示した側面断面図である。
【図５】掃除具１における洗浄液４０の塗布動作について示した側面断面図である。
【図６】第１実施形態に係る掃除具１の変形例について示した図である。
【図７】第２実施形態に係る掃除具２の外観斜視図である。
【図８】底面部１４の変形例について示した図である。
【図９】柄２０の変形例について示した側面断面図である。
【発明を実施するための形態】
【００１４】
以下、本発明の実施の形態を図面に基づいて説明する。
【００１５】
（第１実施形態）
図１に示すように、第１実施形態に係る掃除具１は、床の汚れや埃などを払拭して除去するための清掃用部材としての清掃シート３０を取り付け可能なヘッド部１０に、使用者がヘッド部１０を操作するために握る柄２０が連結されて構成されている。
【００１６】
ヘッド部１０は、箱状部材で形成され、内部が中空となっている（図４参照）。ヘッド部１０の天面部１１には、清掃シート３０の端部を固定するための固定部１２，１２が設けられており、ヘッド部１０に清掃シート３０を取り付けることができるようになっている。具体的には、底面部１４に清掃シート３０をあてがい、底面部１４からはみ出した部分の清掃シート３０を天面部１１に折り返し、天面部１１上に設けられた固定部１２，１２に挟み込むことで取り付ける。なお、清掃シート３０の取り付け方法については特に制限はなく、底面部１４に取り付け可能であればいかなる方法であってもよい。
また、下方に押圧操作可能な押圧部材１３が、天面部１１上を突出した状態となっている。この押圧部材１３は、後述する弾性部材（バネ１７）とともに、後述する制御弁１６の開閉操作を行うための操作部として機能する（図４参照）。
【００１７】
ヘッド部１０の底面部１４には、図２に示すように、６つの円形孔１５…が形成されている。詳しくは後述するが、この円形孔１５…を通じて、ヘッド部１０の内部から洗浄液４０が外部に向けて流出するようになっている（図５参照）。即ち、この円形孔１５…は、後述する柄２０の開口部２０ｂから流出した洗浄液４０を底面部１４に装着された清掃シート３０に誘導する誘導部として機能する。
【００１８】
柄２０は、中空の円管状部材で形成され、天面部１１の略中央に設けられた連結部２１で、ヘッド部１０と回動自在に連結されている。また、柄２０は、中空部分に液状体である洗浄液４０を注入可能な注入口２０ａ（図１参照）と、中空部分と連通され、底面に設けられた開口部２０ｂと、を備える（図４，５参照）。
柄２０の内部は、図３に示すように、内筒２２と、内筒２２の外周に形成された外筒２３と、に仕切られることで二重構造を成しており、内筒２２、外筒２３とも中空となっている。本実施形態では、内筒２２の中空部分に洗浄液４０を注入し、貯留することができるように構成されている。なお、洗浄液４０の注入方法については特に制限はなく、洗浄液４０を内筒２２に注入可能であればいかなる方法であってもよい。例えば、柄２０の天井部分を開口状態とし、当該開口された部分を注入口２０ａとして、洗浄液４０を注入するようにしてもよい。
【００１９】
ヘッド部１０の内部には、図４に示すように、柄２０とヘッド部１０との連結部分（連結部２１）において、柄２０の開口部２０ｂの開閉状態を制御するための制御弁１６と、一端が制御弁１６の下面に取り付けられ、他端がヘッド部１０の底面部１４に取り付けられ、制御弁１６を上方向に付勢するバネ１７と、が備えられている。柄２０の開口部２０ｂは、通常時、バネ１７により上方向に付勢された制御弁１６により蓋をされた状態（閉状態）となっており、内筒２２に注入された洗浄液４０を貯留することができるようになっている。また、制御弁１６の上面に連結された押圧部材１３は、ヘッド部１０の天面部１１を挿通し、上方に突出した状態となっている。なお、弾性を有する部材（弾性部材）であれば、バネ１７の代わりにいかなる部材を用いてもよい。
【００２０】
次に、本実施形態に係る掃除具１における洗浄液４０の塗布動作について説明する。
まず、使用者は、ヘッド部１０に清掃シート３０が取り付けられた状態で、天面部１１上に突出した押圧部材１３を下方に押圧する。押圧部材１３が下方に押圧されると、図５に示すように、押圧部材１３に連動して制御弁１６が下方へと押し込まれ、柄２０の開口部２０ｂの閉状態が解除される。
【００２１】
柄２０の開口部２０ｂが開口状態となると、柄２０の内筒２２に貯留されていた洗浄液４０がヘッド部１０の内部へと流れ出し、底面部１４に形成された円形孔１５…から外部に向けて流出する。これにより、ヘッド部１０の底面部１４に取り付けられた清掃シート３０に洗浄液４０を塗布することができる。
【００２２】
このように、第１実施形態に係る掃除具１は、中空部分に洗浄液４０を注入可能な注入口２０ａと、中空部分と連通され、底面に設けられた開口部２０ｂと、を備える柄２０とヘッド部１０との連結部分において、柄２０の開口部２０ｂの開閉状態を制御するための制御弁１６と、制御弁１６の開閉操作を行うための操作部（押圧部材１３、バネ１７）と、開口部２０ｂから流出した洗浄液４０を底面部１４に装着された清掃シート３０に誘導する誘導部（円形孔１５…）と、を備えたことにより、操作部により制御弁１６の開操作がなされると、柄２０の開口部２０ｂが閉状態から開状態となるため、柄２０の中空部分に注入された洗浄液４０をヘッド部１０内に流出させ、ヘッド部１０の底面部１４に形成された円形孔１５…からヘッド部１０外に流出させることができることとなり、操作部の操作という簡易な作業で清掃シート３０に洗浄液４０を塗布することができる。また、操作部により制御弁１６の開閉状態を制御することで、清掃シート３０に塗布する洗浄液４０の塗布量を制御することができる。
【００２３】
また、第１実施形態に係る掃除具１は、制御弁１６に連結されるとともに、ヘッド部１０の天面部１１から上方に突出した状態で設けられ、下方に押圧操作可能な押圧部材１３と、一端が制御弁１６の下面に取り付けられ、他端がヘッド部１０の底面部１４に取り付けられ、制御弁１６を上方向に付勢するバネ１７と、を備え、押圧部材１３が下方に押圧されると、押圧部材１３に連動して制御弁１６が下方へと押し込まれ、柄２０の開口部２０ｂが開状態となるので、押圧部材１３の押圧操作という簡易な作業で清掃シート３０に洗浄液４０を塗布することができる。
【００２４】
（変形例）
次に、第１実施形態に係る掃除具１の変形例について説明する。なお、第１実施形態と同一の部分には同一の符号を付すこととし、第１実施形態と異なる部分についてのみ説明する。
【００２５】
変形例に係る掃除具１のヘッド部１０の内部には、図６に示すように、一端が制御弁１６の下面に取り付けられたバネ１７の他端と連結された板状部材１８と、板状部材１８の下面に当接するように底面部１４上に設けられ、洗浄液４０を吸収するとともに圧力により吸収した洗浄液４０を放出するスポンジ状の液吸収部材１９と、が備えられている。この板状部材１８及び液吸収部材１９は、円形孔１５…とともに、柄２０の開口部２０ｂから流出した洗浄液４０を底面部１４に装着された清掃シート３０に誘導する誘導部として機能する。
【００２６】
変形例に係る掃除具１において、使用者により押圧部材１３が下方に押圧されると、第１実施形態と同様に押圧部材１３に連動して制御弁１６が下方へと押し込まれ、柄２０の開口部２０ｂの閉状態が解除される。
【００２７】
柄２０の開口部２０ｂが開状態となると、柄２０の内筒２２に貯留されていた洗浄液４０がヘッド部１０の内部へと流れ出し、底面部１４上に設けられた液吸収部材１９に吸収される。同時に、上記使用者による押圧部材１３の押圧操作に連動して板状部材１８が下方へと押し込まれ、板状部材１８に当接された液吸収部材１９が下方へと押圧される。即ち、洗浄液４０を吸収した液吸収部材１９が押圧されることで、液吸収部材１９から洗浄液４０が染み出し、底面部１４に形成された円形孔１５…から外部に向けて流出する。これにより、ヘッド部１０の底面部１４に取り付けられた清掃シート３０に洗浄液４０を塗布することができる。
【００２８】
このように、変形例に係る掃除具１は、一端がバネ１７の他端と連結された板状部材１８と、板状部材１８の下面に当接するようにヘッド部１０の底面部１４上に設けられ、洗浄液４０を吸収するとともに圧力により吸収した洗浄液４０を放出する液吸収部材１９と、を備え、押圧部材１３が下方に押圧されると、押圧部材１３の押圧操作に連動して板状部材１８が下方へと押し込まれ、板状部材１８に当接された液吸収部材１９が下方に押圧されるので、清掃シート３０に洗浄液４０を塗布することができる。特に、スポンジ状の液吸収部材１９が吸収した洗浄液４０を液吸収部材１９全体から染み出させることとなり、清掃シート３０の全体に満遍なく洗浄液４０を塗布させることができるので、より効果的である。
【００２９】
（第２実施形態）
次に、第２実施形態に係る掃除具２について説明する。なお、第１実施形態と同一の部分には同一の符号を付すこととし、第１実施形態と異なる部分についてのみ説明する。
【００３０】
第２実施形態に係る掃除具２には、図７（ａ）に示すように、略棒状の部材で形成され、一端が制御弁５２の回動軸と連結され、他端がヘッド部１０の天面部１１上を突出したレバー５０と、当該レバー５０の回動軸に取り付けられ、開口部２０ｂが閉状態となるように制御弁５２を付勢する弾性部材５１と、弾性部材５１を介してレバー５０の一端と連結され、柄２０の開口部２０ｂの開閉状態を制御するための制御弁５２と、が備えられている。このレバー５０及び弾性部材５１は、制御弁５２の開閉操作を行うための操作部として機能する。
【００３１】
柄２０の開口部２０ｂは、通常時、制御弁５２により蓋をされた状態（閉状態）となっており、内筒２２に注入された洗浄液４０を貯留することができるようになっている。なお、弾性部材５１の構成については、レバー５０を操作することで制御弁５２による柄２０の開口部２０ｂの開閉状態を制御可能であればいかなる構成であってもよいが、図７（ａ）に示す閉状態の際に、レバー５０の誤操作を防止すべく、レバー５０の位置を固定（ロック）する構成とすることが好ましく、例えばねじりコイルばねにより制御弁５２を付勢する構成が好ましい。
【００３２】
第２実施形態に係る掃除具２において、使用者によりレバー５０が内側方向（図中矢印方向）に操作されると、図７（ｂ）に示すように、レバー５０の操作に連動して、レバー５０と連結された回動軸を中心に、制御弁５２の他端が下方へと回動し、柄２０の開口部２０ｂの閉状態が解除される。
【００３３】
柄２０の開口部２０ｂが開口状態となると、柄２０の内筒２２に貯留されていた洗浄液４０がヘッド部１０の内部へと流れ出し、底面部１４に形成された円形孔１５…から外部に向けて流出する。これにより、ヘッド部１０の底面部１４に取り付けられた清掃シート３０に洗浄液４０を塗布することができる。
【００３４】
このように、第２実施形態に係る掃除具２は、一端が制御弁５２の回動軸と連結され、他端がヘッド部１０の天面部１１上を突出したレバー５０と、当該レバー５０の回動軸に取り付けられ、開口部２０ｂが閉状態となるように制御弁５２を付勢する弾性部材５１と、を備え、レバー５０の操作に連動して、レバー５０と連結された回動軸を中心に、制御弁５２の他端が下方へと回動し、柄２０の開口部２０ｂが開状態となるので、レバー５０の操作という簡易な作業で清掃シート３０に洗浄液４０を塗布することができる。
【００３５】
以上、本発明に係る実施形態に基づいて具体的に説明したが、本発明は上記実施形態に限定されるものではなく、その要旨を逸脱しない範囲で変更可能である。
【００３６】
例えば、上記実施形態では、図２に示したように、底面部１４に６つの円形孔１５…を各孔が等間隔となるように形成しているが、これに限定されるものではない。例えば、図８（ａ）〜（ｃ）に示すように、底面部１４に取り付けられた清掃シート３０の全体に満遍なく洗浄液４０が塗布される構成であれば、いかなる配置を行ってもよい。また、孔の個数や形状についても特に制限はなく、清掃シート３０の全体に満遍なく洗浄液４０が塗布される構成であれば、いかなる構成としてもよい。
【００３７】
また、上記実施形態では、柄２０の内筒２２に洗浄液４０を貯留する構成としているが、これに限定されるものではない。例えば、図９に示すように、柄２０の外筒２３に洗浄液４０を貯留する構成としてもよい。なお、洗浄液４０の注入方法については特に制限はなく、洗浄液４０を外筒２３に注入可能であればいかなる方法であってもよい。
【００３８】
また、上記実施形態では、内筒２２、外筒２３とも中空となるように構成しているが、これに限定されるものではなく、洗浄液４０を注入して貯留する方のみが中空となるように構成してもよい。
また、内筒２２、外筒２３に、それぞれ異なる液状体を注入する構成としてもよい。これにより、例えば、液状体を塗布する直前に、内筒２２に注入された液状体及び外筒２３に注入された液状体を混ぜ合わせることで効果を発揮するような液状体に対しても、本発明を適用することが可能となる。
さらに、内筒２２用、外筒２３用と、個別に制御弁を設けるようにし、操作部の操作により、各制御弁の開閉操作を制御できる構成としてもよい。これにより、使用者の用途に応じて、内筒２２に注入された液状体と外筒２３に注入された液状体とを使い分けることが可能となる。
【００３９】
また、上記実施形態では、清掃用部材として清掃シート３０を例示して説明しているが、これに限定されるものではなく、例えば、多数本のパイルを植毛した部材等を用いるようにしてもよい。
また、上記実施形態では、液状体として洗浄液４０を例示して説明しているが、これに限定されるものではなく、例えば、水や洗剤、ワックス等を用いるようにしてもよい。
【００４０】
その他、掃除具を構成する各装置の細部構成及び細部動作に関しても、本発明の趣旨を逸脱することのない範囲で適宜変更可能である。
【符号の説明】
【００４１】
１，２  掃除具
１０  ヘッド部
１１  天面部
１２  固定部
１３  押圧部材
１４  底面部
１５  円形孔
１６，５２  制御弁
１７  バネ（弾性部材）
１８  板状部材
１９  液吸収部材
２０  柄
２０ａ  注入口
２０ｂ  開口部
２１  連結部
２２  内筒
２３  外筒
３０  清掃シート（清掃用部材）
４０  洗浄液（液状体）
５０  レバー
５１  弾性部材
【図１】
0005739141.tif 000002
【図２】
0005739141.tif 000003
【図３】
0005739141.tif 000004
【図４】
0005739141.tif 000005
【図５】
0005739141.tif 000006
【図６】
0005739141.tif 000007
【図７】
0005739141.tif 000008
【図８】
0005739141.tif 000009
【図９】
0005739141.tif 000010